(57)【特許請求の範囲】
【請求項１】
移動局が複数の基地局からの制御チャネルデータを受信し、受信結果に基づいて待ち受け先ゾーンを移行するゾーン移行制御方法において、
所定周期の間隔で前記制御チャネルデータを受信する間欠受信モードで在圏ゾーンに属する基地局からの制御チャネル信号を受信し、
受信信号レベルが予め定めた閾値より低いか、受信エラーがあった場合には、前記所定周期よりは短い間隔で前記制御チャネルデータを受信する短周期間欠受信モードで前記制御チャネルを複数回受信し、
各受信毎にエラーの有無と受信信号レベルとを受信記録として記憶し、
この受信記録の解析により、受信信号の劣化が傾向的と判断された時には他のゾーンに属する基地局に待ち受け先を移行する
ことを特徴とするゾーン移行制御方法。
【請求項２】
請求項１に記載のゾーン移行制御方法において、
前記短周期間欠受信モードでのエラー発生率が所定の値を越えたときには受信信号の劣化が傾向的と判断することを特徴とするゾーン移行制御方法。
【請求項３】
請求項１に記載のゾーン移行制御方法において、
前記短周期間欠受信モードでのレベル劣化発生率が所定の値を越えたときには受信信号の劣化が傾向的と判断することを特徴とするゾーン移行制御方法。
【発明の詳細な説明】
【０００１】
【発明の属する技術分野】
本発明はゾーン移行制御方法に係り、特に携帯電話などの移動通信方式において待ち受け中の移動局が複数の基地局からの制御チャネルデータを間欠受信し、受信結果に基づいて待ち受け先ゾーンに移行するゾーン移行制御方法に関する。
【０００２】
【従来の技術】
移動局は現に在圏しているゾーンの制御チャネルを常時受信し、基地局からの着呼信号を待ち受けていると同時に、その在圏ゾーンの周辺ゾーンの制御チャネルの各受信レベルと待ち受け中の制御チャネルの受信レベルとを繰り返し測定し比較を行っている。
【０００３】
図２は従来の着信待ち状態の移動端末と基地局の制御チャネル信号との関係を示す図である。基地局の制御用スロットは連続する４スロット（＃１〜＃４スロット、１スロット幅＝６．２５μｓｅｃ）を送信用スロット及び受信用スロットとして交互に使用している。基地局ではこの送信スロットを使用して移動局へ制御信号を常時間欠的に送信している。
【０００４】
図２（ａ）に示すように論理制御チャネルは群分け数＝８の場合、システム情報報知用チャネル（ＢＣＣＨ）、８個の着信情報チャネル（Ｐ１〜Ｐ８ＣＨ）、３個のチャネル割り当て制御用チャネル（ＳＣＣＨ）の合計１２個のチャネルを１．２秒周期で繰り返し間欠的に受信している（これをＬＣＣＨスーパーフレームという）。各移動局はスーパーフレームの構成及び自分の端末番号より自局が属する着信ゾーンを算出し、対応する着信情報チャネルＰ１〜Ｐ８のいずれかを間欠受信している。移動局は電源を入れると、まず無線通信状態が一番良好な基地局の送出するスロットを探し、その中の報知チャネル（ＢＣＣＨ）の送出されるタイミングで情報を受信する。
【０００５】
そして報知メッセージの内容を確認し、チャネル割り当て制御用チャネル（ＳＣＣＨ）でリンクチャネル確率要求メッセージを送信し、基地局からリンクチャネル割り当てメッセージを受信したら情報チャネルから位置登録用要求メッセージを送信し、位置登録を行う。これによりこの移動局の位置する位置登録エリアが認識される。そして発信する時にはチャネル割り当て制御用チャネル（ＳＣＣＨ）でリンク確率要求メッセージを送信し、基地局からリンクチャネル割り当てメッセージを受信したら通信用チャネル中で呼設定メッセージを送信し発信を行う。
【０００６】
発信を行わない場合は、前述した登録された位置登録エリア内ですべての基地局によって一斉に行われる一斉呼出しにつき、着信情報チャネル（ＰＣＨ）が送出されるタイミングで着呼メッセージや報知受信指示などを受信する。そして初めのリンク確率要求メッセージが送信された際に、もし基地局の通信用チャネルスロット使用状態がすべて使用中の時は、基地局はリンクチャネル割り当て拒否メッセージを送信する。
【０００７】
移動局はこのメッセージを受信し、無線通信状態が２番目に良好な基地局の送出するスロットを探す。そして、初めの基地局に対するのと同じ手続きをこの基地局についてもとる。
【０００８】
以下同様のシーケンスを繰り返し続ける。
【０００９】
ＰＨＳ移動局の場合には移動局は待ち受け中はバッテリセービングのために自局の属する着信群の着信情報チャネル（ＰＣＨ）を間欠受信している。
【００１０】
図２に示す例では移動局はＰ１の着信情報チャネルを受信している。この状態から移動局が待ち受け先の基地局を変える、もしくは周辺ゾーンのすべての基地局からの電波をサーチし、最適な待ち受け先となる基地局を判断する動作へ移行する条件は、連続してｎ秒間間欠受信した着信情報チャネル（Ｐ１ＣＨ）が受信エラーとなった場合、もしくは連続してｎ秒間受信したＰ１ＣＨの受信レベルがシステム上指定された閾値（待ち受けゾーン保持レベル）を下回った場合である。
【００１１】
【発明が解決しようとする課題】
仮に、待ち受け先変更のための判断時間を５秒間に設定した場合、図２に示すようにバッテリセービングのためのサーチ周期が１．２秒の場合、５回に１回正常に受信した場合、あるいは受信レベルが５回に１回規定値を上回った場合には、移動局は現在の待ち受け先の基地局からの受信を継続することになる。ここで判定のための時間を１０秒に設定した場合には、８回に１回正常受信もしくは受信レベルが規定値を上回れば待ち受け先の変更は行われない。
【００１２】
このような場合、移動局はたまたま正常に受信できたＰ１ＣＨ以外のタイミングで、基地局からの着信信号が送信された場合、移動局は自局への着信を取り逃がすことになる。
【００１３】
マルチパスフェージング等により受信レベルが変動している場所等においては着信取り逃がしの確率が高く、着呼率は低く、サービス品質の低いシステムとなってしまう。
【００１４】
本発明は上述した課題を解決し、移動局が自局への着信信号の取り逃がしの確率を低減させることのできるゾーン移行制御方法を提供することを目的とする。
【００１５】
【課題を解決するための手段】
本発明は、移動局が複数の基地局からの制御チャネルデータを受信し、受信結果に基づいて待ち受け先ゾーンを移行するゾーン移行制御方法において、
所定周期の間隔で前記制御チャネルデータを受信する間欠受信モードで在圏ゾーンに属する基地局からの制御チャネル信号を受信し、
受信信号レベルが予め定めた閾値より低いか、受信エラーがあった場合には、前記所定周期よりは短い間隔で前記制御チャネルデータを受信する短周期間欠受信モードで前記制御チャネルを複数回受信し、
各受信毎にエラーの有無と受信信号レベルとを受信記録として記憶し、
この受信記録の解析により、受信信号の劣化が傾向的と判断された時には他のゾーンに属する基地局に待ち受け先を移行するようにしたものである。
【００１６】
ここで、前記短周期間欠受信モードでのエラー発生率が所定の値を越えたときには受信信号の劣化が傾向的と判断する。
【００１７】
また、前記短周期間欠受信モードでのレベル劣化発生率が所定の値を越えたときには受信信号の劣化が傾向的と判断する。
【００１８】
【発明の実施の形態】
本発明では移動局が所定周期で間欠受信している制御チャネルからの制御データは受信エラーもしくは受信レベルがある閾値よりも低い場合に移動局はより受信間隔の短い短周期間欠受信モードで複数回の受信を行う。
【００１９】
各受信毎のエラーの有無と受信信号レベルとは受信記録として記憶され、この受信記録の解析により受信信号の結果が傾向的であると判断された時には他のゾーンに属する基地局に待ち受け先を移行する。これにより自局への着信信号の取り逃がしの確率を低減させる。
【００２０】
次に図１を参照して本発明の実施の形態を詳細に説明する。
【００２１】
図１は本発明によるゾーン移行制御方法のフローを示したフローチャートである。通常の待ち受け状態（ステップ１００）においては、移動局は所定周期の間欠受信モードで特定ゾーンに属する基地局からの制御チャネル信号を受信している（ステップ１０１）。なおこの場合の受信周期は通常１．２秒に設定されている。
【００２２】
次いで移動局内のＣＰＵにより受信した制御チャネルの受信データにエラーは無いか、あるいは受信レベルが閾値以上か否かの判定が行われる（ステップ１０２）。エラーがなく且つ受信レベルも閾値以上であればステップ１０１に戻り１．２秒の周期で間欠受信モードを継続する。
【００２３】
ステップ１０２において、受信した制御チャネルデータにエラーが発生したり、受信レベルが閾値以下であった場合には１．２秒よりも短い短周期間欠受信モードに移行する（ステップ１０３）。なお短周期受信モードにおける受信周期としては例えば０．１秒を設定することができる。
【００２４】
このように短周期間欠受信モードにおいて在圏ゾーンの基地局からの制御チャネルデータを間欠受信し、その受信結果を移動局内のメモリに格納する（ステップ１０４）。なお受信回数としては短周期間欠受信モードを０．１秒に設定した場合には１２回とすることができる。このように設定すると、図２に示すＬＣＣＨスーパーフレームのすべてのチャネルスロットを受信することになる（ステップ１０５）。
【００２５】
ｎ回の受信が完了すると受信結果の解析が行われる（ステップ１０６）。受信結果の解析は受信回数に対してエラー発生回数が何回あったか、あるいはレベルの低い受信回数が何回あったか等が解析される。すなわちエラー発生率とレベル劣化発生率とが算出される。
【００２６】
次いで、このような受信結果の解析に基づき受信信号の劣化が傾向的か否かが判定される（ステップ１０７）。ここで受信信号の劣化が傾向的と判断される基準としては、エラー発生率が所定の値を越えた場合、あるいはレベル劣化発生率が所定の値を越えた時が基準となる。
【００２７】
受信信号の劣化が傾向的であると判断された場合には、ただちに周辺ゾーンの基地局からの制御チャネル信号をモニタし、最適な基地局に対して待ち受け動作を行うように待ち受けゾーンの移行処理に進む（ステップ１０８）。
【００２８】
ステップ１０７において傾向的ではないと判断された場合には、短周期間欠受信モードを解除し、通常の間欠受信モードで信号受信を行うステップ１０１に戻る。
【００２９】
なお本発明のゾーン移行制御方法はＰＨＳシステムに基づいて説明したが、本発明はこれに限定されるものではなく、複数の機能チャネルから構成されるスーパーフレームを用いて制御情報を送出するデジタル携帯電話システム等においても同様に利用することができる。
【００３０】
【発明の効果】
以上、実施の形態に基づいて詳細に説明したように、本発明では間欠受信した制御チャネル信号が受信エラーもしくは受信レベルがある閾値よりも低い場合には移動局が通常の間欠受信モードから短周期間欠受信モードに移行し、複数の制御チャネル信号を受信することにより受信状態の劣化が偶発的なものであったのかそれとも傾向的なものであったのかを判断し、傾向的であると判断された場合には最適な基地局に移行するようにゾーン移行制御を行うため、移動局が自局への着信信号の取り逃がしをする確率は低減し、着呼率を向上させることが可能となる。
【図面の簡単な説明】
【図１】本発明のゾーン移行制御方法を説明するためのフローチャート。
【図２】移動局と基地局との間における制御チャネル信号の関係を示す図。
【符号の説明】
ＢＣＣＨ：システム情報報知用チャネル
ＰＣＨ：着信情報チャネル
ＳＣＣＨ：チャネル割り当て制御用チャネル
【図１】
0003758421.tif 000002
【図２】
0003758421.tif 000003